(57)【要約】本発明は、出力装置４４を介して状況データを出力するための方法に関する。状況データは、少なくとも測定システム内の構成要素および接続の個々の状況、ならびにインターネット、イントラネット、または類似物などの通信ネットワーク１０内のこの測定システムの測定結果を含む。本発明の１つの特徴は、状況データが、所定の条件に従って一定の状況範囲に少なくとも部分的に割り当てられ、割り当てられた個々の状況範囲が個別に出力され、それによって、状況データが割り当てられた状況範囲を容易に識別できることである。【特許請求の範囲】
【請求項１】
出力装置（４４）を介して状況データを出力するための方法であって、状況データが、少なくとも測定システム内の構成要素および接続の個々の状況、ならびにインターネット、イントラネット、または類似物などの通信ネットワーク（１０）内のこの測定システムの測定結果を含み、
状況データが少なくとも部分的に、所定の条件に従って一定の状況範囲に割り当てられ、割り当てられた個々の状況範囲が個別に出力され、それによって、状況データが割り当てられた状況範囲を容易に識別できる方法。
【請求項２】
状況範囲が少なくとも１つの閾値によって制限される、請求項１に記載の方法。
【請求項３】
出力装置（４４）が、グラフィック（４８、５６、６６）内に、状況データ、および割り当てられた状況範囲を表示する、請求項１または２に記載の方法。
【請求項４】
出力装置（４４）がマトリックスの形のグラフィック（４８）を表示する、請求項３に記載の方法。
【請求項５】
グラフィック（４８）がグラフィカル・ユーザ・インターフェースの形で、たとえばウィンドウの形で実装され、少なくともグラフィカル・ユーザ・インターフェースの個々の状況範囲が、上位にある状況範囲内でアクティブ化することによって見えるようになる、隠れた表示レベルをさらに有する、請求項３または４に記載の方法。
【請求項６】
追加の表示レベルで、状況データおよび／または状況データに割り当てられた状況範囲がより詳細に表示される、請求項５に記載の方法。
【請求項７】
個々の状況範囲が、それにそれぞれ異なる色を付けることによって個々に区別される、請求項１乃至６のいずれか１項に記載の方法。
【請求項８】
範囲が、具体的には、ある測定結果、複数の測定結果の大きさを反映する範囲および／または測定システムの構成要素の状況を示す値が、共に階層を形成する、請求項１乃至７のいずれか１項に記載の方法。
【請求項９】
少なくとも２つの測定コンピュータ、測定コンピュータを制御する制御コンピュータを含み、状況データが、測定コンピュータ（２８、３０、３２）の状況、測定コンピュータ（２８、３０、３２）間の測定接続の品質、制御コンピュータ（４０）による測定コンピュータ（２８、３０、３２）への到達可能性、測定コンピュータ（２８、３０、３２）の時間同期および／または状況データの最新さに基づく、請求項１乃至８のいずれか１項に記載の方法。
【請求項１０】
状況マトリックス（４８）の第１列（５０）が、個々の測定コンピュータ（２８、３０、３２）の状況に関する状況データを表示し、状況マトリックス（４８）の第１列（５０）の各欄が、測定コンピュータ（２８、３０、３２）に割り当てられる、請求項４および９、ならびに具体的には、請求項１乃至９の別のいずれか１項に記載の方法。
【請求項１１】
それぞれの測定コンピュータ（２８、３０、３２）が、第１列（５０）のその欄内で、その識別子−名前、ＩＰアドレス、または類似物よって示される、請求項９または１０に記載の方法。
【請求項１２】
状況マトリックス（４８）の第１列（５０）の欄に属し、また個々の測定コンピュータ（２８、３０、３２）の状況に基づく状況データが、測定コンピュータ（２８、３０、３２）の時間同期の状況、制御コンピュータ（４０）による測定コンピュータ（２８、３０、３２）への到達可能性、およびこの測定コンピュータ（２８、３０、３２）に関する測定システムのエラー・メッセージからなる、請求項９乃至１１のいずれか１項に記載の方法。
【請求項１３】
測定コンピュータ（２８、３０、３２）の制御コンピュータ（４０）への個別の割当てが、状況マトリックス（４８）の第１列（５２）内にそれぞれ示され、状況マトリックス（４８）の第１列（５０）の各欄が、測定コンピュータ（２８、３０、３２）の割当てに関連する、請求項９乃至１２のいずれか１項に記載の方法。
【請求項１４】
２行目以下および２列目以下に配列される状況マトリックス（４８）の欄はそれぞれ、個々の測定コンピュータ（２８、３０、３２）間の測定接続の状況を示し、このために、第１列（５０）に、測定コンピュータ（２８、３０、３２）が上から下に所定の順序で並べられ、第１行（５２）に、制御コンピュータ（４０）へのその割当てに関して、測定コンピュータ（２８、３０、３２）の割当てが、左から右に同じ順序で並べられる、請求項９乃至１３のいずれか１項に記載の方法。
【請求項１５】
状況マトリックス（４８）のこれらの欄のうちの１つが、それぞれの場合で、ある測定コンピュータ（２８、３０、３２）の別の測定コンピュータ（２８、３０、３２）との、一方向の１つまたは複数の測定接続を示し、また状況マトリックス（４８）の対角線に関して対称の対応する欄が、１つまたは複数の測定接続の逆方向を示す、請求項１４に記載の方法。
【請求項１６】
測定接続の状況が、測定接続の品質に関する測定結果の、測定コンピュータ（２８、３０、３２）の時間同期および／または測定結果の最新性の状況範囲への割当てで構成される、請求項１５に記載の方法。
【請求項１７】
２行目以下および２列目以下に配列される状況マトリックス（４８）の欄がそれぞれ、測定接続の状況がより詳細に示される、第２の表示レベルを有する、請求項６および１４ならびに具体的には、請求項１乃至１６の別のいずれか１項に記載の方法。
【請求項１８】
追加の表示レベルが、測定接続のタイプ、ならびに各測定コンピュータ（２８、３０、３２）間の測定接続の品質を判断する個々の測定パラメータの状態を示す、請求項１７に記載の方法。
【請求項１９】
測定パラメータの状況が、パケット遅延、ＩＰ遅延変動、パケット・ロスなどの測定接続の伝送特性からなる、請求項１８に記載の方法。
【請求項２０】
第２の表示レベルに、所定の時間間隔の間、測定結果がより詳細に示される、第３の下位表示レベルが設けられる、請求項１６乃至１９のいずれか１項に記載の方法。
【請求項２１】
状況マトリックス（４８）の第１行（５２）および／または第１列の欄に、システム・メッセージが表示される第２の下位表示レベルが設けられる、請求項９乃至２０のいずれか１項に記載の方法。
【請求項２２】
表示装置（４４）がブラウザを介して状況データを表示し更新する、請求項１乃至２１のいずれか１項に記載の方法。
【請求項２３】
状況マトリックス（４８）内で、状況データが所定の時間間隔で自動的に更新される、請求項１乃至２２のいずれか１項に記載の方法。
【請求項２４】
第ＤＥ１００  ４６  ２４０．５号、第ＤＥ１０１  ２８  ９２７．８号および／または本特許出願に鑑みて、同出願人によって、同じ日に申請された特許出願「ＭＥＴＨＯＤ  ＦＯＲ  ＴＥＭＰＯＲＡＬ  ＳＹＮＣＨＲＯＮＩＳＡＴＩＯＮ  ＯＦ  ＡＴ  ＬＥＡＳＴ  ＴＷＯ  ＭＥＡＳＵＲＩＮＧ  ＣＯＭＰＵＴＥＲＳ  ＣＯＯＰＥＲＡＴＩＮＧ  ＯＶＥＲ  Ａ  ＴＥＬＥＣＯＭＭＵＮＩＣＡＴＩＯＮ  ＮＥＴＷＯＲＫ  ＳＵＣＨ  ＡＳ  ＩＮＴＥＲＮＥＴ，ＩＮＴＲＡＮＥＴ  ＯＲ  ＳＩＭＩＬＡＲ」および「ＭＥＴＨＯＤ  ＦＯＲ  ＴＨＥ  ＴＲＡＮＳＭＩＳＳＩＯＮ  ＯＦ  ＭＥＡＳＵＲＥＤ  ＤＡＴＡ  ＦＲＯＭ  Ａ  ＭＥＡＳＵＲＩＮＧ  ＣＯＭＰＵＴＥＲ  ＴＯ  Ａ  ＣＯＮＴＲＯＬ  ＣＯＭＰＵＴＥＲ  ＩＮ  Ａ  ＭＥＡＳＵＲＩＮＧ  ＳＹＳＴＥＭ」による測定方法によって特徴付けられる、請求項１乃至２３のいずれか１項に記載の方法。
【発明の詳細な説明】
【技術分野】
【０００１】
本発明は、請求項１の前文で指定するタイプの状況データを出力するための方法に関する。
【背景技術】
【０００２】
単一方向伝送特性を測定する方法は、事前公開されていない独国特許出願第ＤＥ１００  ４６  ２４０．５号および第ＤＥ１０１  ２８  ９２７．８号から知られている。
ネットワーク事業者と顧客の間の契約によって、ＩＰ電話およびテレビ会議にとって特に重要である、パケット遅延およびＩＰ遅延変動の上限など、通信ネットワークの保証された特性を顧客に提供することができる。
【０００３】
その結果、通信ネットワークにおいて、単一方向のパケット遅延、およびそこから導出可能なパラメータ変動からなる品質特性が保証される。したがって、通信ネットワークのこうしたパラメータ、たとえばパケット遅延、ＩＰ遅延変動およびパケット・ロスのうちの１つまたは複数についての最大値、および／またはスループットについての最小値を顧客に保証することが目的である。
さらに、こうした値の順守が、ネットワーク事業者および顧客にとって検証可能でなければならない。
【０００４】
したがって、測定コンピュータ間で、単一方向の測定接続が確立される。こうした測定接続上で、設定可能な時間分布で、測定パケットが、送信側の役割を果たす測定コンピュータから受信側の役割を果たす測定側コンピュータに送信される。測定パケットは、特に挙げると、タイムスタンプおよびシーケンス番号を含む。単一方向遅延を測定できるように、送信側の役割を果たす測定コンピュータ、および受信側の役割を果たす測定コンピュータのタイムスタンプは、十分正確に、時間の同期が取られなければならない。技術的な実装には、たとえば、ＧＰＳ（全地球測位システム：Ｇｌｏｂａｌ  Ｐｏｓｉｔｉｏｎｉｎｇ  Ｓｙｓｔｅｍ）受信機を介したタイムスタンプの生成がある。これによって、タイムスタンプを、±１／２μｓの誤差で生成することが可能になる。
【０００５】
測定結果は、測定コンピュータを制御する制御コンピュータによって、測定コンピュータから取り出され、データベース内に格納され、見ることができるように、使用可能にされる。顧客およびサービス提供元は、測定接続および測定システムの即座の状況概要を得る必要がある。この文脈では、「即座」は、測定接続または測定システムの状況の変化ができるだけ迅速に示されることを指す。具体的には、複数の測定コンピュータを使用する場合、それらを、それぞれ異なる制御コンピュータに割り当てることもでき、多大な量の情報−状況データが生成される。ここでの問題は、大量のデータのために、伝送品質を保証するために測定を必要とする可能性がある重要なメッセージを見失うことである。
【特許文献１】独国特許出願第ＤＥ１００  ４６  ２４０．５号
【特許文献２】独国特許出願第ＤＥ１０１  ２８  ９２７．８号
【特許文献３】「ＭＥＴＨＯＤ  ＦＯＲ  ＴＥＭＰＯＲＡＬ  ＳＹＮＣＨＲＯＮＩＳＡＴＩＯＮ  ＯＦ  ＡＴ  ＬＥＡＳＴ  ＴＷＯ  ＭＥＡＳＵＲＩＮＧ  ＣＯＭＰＵＴＥＲＳ  ＣＯＯＰＥＲＡＴＩＮＧ  ＯＶＥＲ  Ａ  ＴＥＬＥＣＯＭＭＵＮＩＣＡＴＩＯＮ  ＮＥＴＷＯＲＫ  ＳＵＣＨ  ＡＳ  ＩＮＴＥＲＮＥＴ，ＩＮＴＲＡＮＥＴ  ＯＲ  ＳＩＭＩＬＡＲ」
【特許文献４】「ＭＥＴＨＯＤ  ＦＯＲ  ＴＨＥ  ＴＲＡＮＳＭＩＳＳＩＯＮ  ＯＦ  ＭＥＡＳＵＲＥＤ  ＤＡＴＡ  ＦＲＯＭ  Ａ  ＭＥＡＳＵＲＩＮＧ  ＣＯＭＰＵＴＥＲ  ＴＯ  Ａ  ＣＯＮＴＲＯＬ  ＣＯＭＰＵＴＥＲ  ＩＮ  Ａ  ＭＥＡＳＵＲＩＮＧ  ＳＹＳＴＥＭ」
【発明の開示】
【発明が解決しようとする課題】
【０００６】
本発明の一目的は、上記の欠点を回避しながら、大量の状態データであっても、全体の状況の概要が単純な方法で確実に保証されるようなやり方で、請求項１の前文において指定するタイプの状況データを出力するための方法をさらに発展させることである。
【課題を解決するための手段】
【０００７】
この目的は、請求項１の特色的な特徴と、それに併せてその前文に記載された特徴とによって達成される。
【０００８】
従属クレームは、本発明の有利な改良に関する。
本発明は、所定の条件に従って特定の範囲に状態データを割り当てることによって、情報の数を、単純なやり方で、削減し、重み付けできるということの発見に基づく。ユーザには、状況の範囲、したがって、状況データが割り当てられた品質レベルしか知らされない。次いで、これによって、ユーザは、たとえば通信ネットワークの伝送品質を確保するために取るべき方策について、結論を導くことができる。
【０００９】
したがって、本発明によれば、状況データは、少なくとも部分的に、所定の条件に従って一定の状況範囲に割り当てられ、割り当てられた各状況範囲が、個々に出力され、したがって、状況データが割り当てられた状況範囲を容易に識別することができる。好ましくは、状況範囲は、少なくとも１つの閾値によって制限することができ、それによって、この閾値を超過する場合は、状況データが別の状況範囲に割り当てられる。
【００１０】
ユーザのために、できるだけ簡単なように、状況データを用意するために、出力装置は、グラフィック内に、状況データを、割り当てられた状況範囲と共に表示する。このグラフィックは、マトリックスの形を取ることができる。
【００１１】
本発明の一実施形態によれば、グラフィックは、たとえば、ウィンドウの技術を用いてグラフィカル・ユーザ・インターフェースの形で実装され、少なくともグラフィカル・ユーザ・インターフェースの個々の状況範囲はさらに、隠れた表示レベルを含み、この隠れた表示レベルは、その上位にある状況範囲をアクティブ化することによって、見ることができるようになる。
【００１２】
コンピュータ適用分野において、こうしたグラフィカル・ユーザ・インターフェース（ＧＵＩ：ｇｒａｐｈｉｃａｌ  ｕｓｅｒ  ｉｎｔｅｒｆａｃｅ）は、マン・マシン・インターフェースとして、現在広く使用されている。グラフィカル・ユーザ・インターフェースによって、プログラムを実行するために、複雑なテキスト・コマンドを入力する必要がなくなるので、コンピュータ・システムを扱うことが簡単になる。代わりに、上述のコマンドに対応する直感的に認識できる図形シンボル（アイコン）が、表示画面、すなわちコンピュータ・システムの出力装置上に提供される。
【００１３】
またグラフィカル・ユーザ・インターフェースの一部は、グラフィカル・ユーザ・インターフェース内で、マウス、トラックボール、またはキーボードの助けとともに使用される、ポインティング要素である。グラフィカル・ユーザ・インターフェースでは、一般にポインタとして示されるポインティング要素が、動作開始のため、デスクトップ上のオブジェクトの上に置かれる。オブジェクトは、たとえばプログラムのアイコン、上述のウィンドウの要素であり得る。オブジェクト上にポインタを置くことが既に、コンピュータ・システムに、メニューのポップアップ、ユーザの助けとするための情報の表示など、具体的な動作を実施させるイベントであり得る。
【００１４】
この情報表示の方法は、「ツール説明（ｔｏｏｌｔｉｐ）」とも称される。ツール説明は、具体的には、グラフィカル・ユーザ・インターフェースのボタンについて説明し、または状況データおよび／または状況範囲についての追加の情報を提供する、小さいヘルプ・ウィンドウである。
【００１５】
隠れたウィンドウまたはツール説明の形であり得る、グラフィカル・ユーザ・インターフェースの追加の表示レベルでは、状況データおよび／または状況データに割り当てられた状況範囲が、さらに詳細に表示される。
【００１６】
重要な情報の識別を簡単にするために、個々の状況範囲は、それにそれぞれ異なる色を付けることによって、個々に区別される。
さらに、具体的には、ある測定結果、複数の測定結果の大きさを反映する範囲および／または測定システムの構成要素の状況を示す値が共に、階層を形成することが好ましい。
【００１７】
本発明の一実施形態によれば、測定システムは、少なくとも２つの測定コンピュータ、および測定コンピュータを制御する制御コンピュータを含む。ここでは、状況データは、測定コンピュータの状況、測定コンピュータ間の測定接続の品質、制御コンピュータによる測定コンピュータへの到達可能性（ｒｅａｃｈａｂｉｌｉｔｙ）、測定コンピュータの時間同期および／または状況データの最新さに基づく。
【００１８】
これに関して、表示がマトリックスの形のものであれば、マトリックスの第１の列は、個々の測定コンピュータの状況に関する状況データを表示し、マトリックスの第１列の各欄が、測定コンピュータに割り当てられる。
【００１９】
具体的には、それぞれの測定コンピュータは、識別子−名前、ＩＰアドレス、または類似物によって、第１列のその欄内に表示される。
【００２０】
マトリックスの第１列のある欄に属し、また各測定コンピュータの状況に基づく状況データは、測定コンピュータの時間同期の状況、制御コンピュータによる測定コンピュータへの到達可能性、測定コンピュータに関する測定システムのエラー・メッセージで構成される。
【００２１】
これに関して、測定システムの制御コンピュータへの個々の割当ては、マトリックスの第１行にそれぞれ示され、マトリックスの第１行の各欄が、測定コンピュータへの割当てを示す。
【００２２】
２行目以下、および２列目以下に配列されたマトリックスの欄はそれぞれ、個々の測定コンピュータ間の測定接続の状況を示し、そのために、第１列で、測定コンピュータが、上から下に所定の順序で並べられ、第１行で、制御コンピュータへの割当てに関して、測定のコンピュータの割当てが、左から右に同じ順序で並べられる。
【００２３】
好ましくは、マトリックスのこうした欄の１つは、それぞれの場合で、ある測定コンピュータの別の測定コンピュータとの、一方向の１つまたは複数の測定接続を示し、マトリックスの対角線に関して対称の対応する欄が、１つまたは複数の測定接続の逆方向を示す。
【００２４】
それぞれの測定接続の状況は、測定接続の品質に関する測定結果の、測定コンピュータの時間同期および／または測定結果の最新性の状況範囲への割当てで構成される。
【００２５】
２行目以下および２列目以下に配列されるマトリックスの欄はそれぞれ、測定接続の状況がより詳細に示される、第２の表示レベルを有する。
【００２６】
具体的には、追加の表示レベルは、測定接続のタイプ、ならびに各測定コンピュータ間の測定接続の品質を判断する個別の測定パラメータの状態を示す。ここでは、測定パラメータの状態は、パケット遅延、ＩＰ遅延変動、パケット・ロスなど、測定接続の伝送特性からなり得る。
【００２７】
さらに、第２の表示レベルは、所定の時間間隔の間、測定結果が詳細に示される、第３の下位表示レベルを有し得る。マトリックスの第１行および列の欄には、システム・メッセージが表示される、第２の下位表示レベルが設けられ得る。
【００２８】
測定結果は、制御コンピュータによって、測定コンピュータから取り出され、データベース内に格納され、そこで、見ることができるように、使用可能にされる。測定結果および他の状況データのオフライン表示は、ブラウザを介して行われる。この文脈では、「オフライン」は、測定結果および他の状況データの表示がマニュアルで開始されなければならないことを意味するが、オンライン視覚化の場合には、これが、ある時間間隔で、自動的に行われる。
【００２９】
好ましくは、使用される方法は、第ＤＥ１００  ４６  ２４０．５号、第ＤＥ１０１  ２８  ９２７．８号および／または本特許出願に鑑みて、同出願人によって、同じ日に申請された特許出願「ＭＥＴＨＯＤ  ＦＯＲ  ＴＥＭＰＯＲＡＬ  ＳＹＮＣＨＲＯＮＩＳＡＴＩＯＮ  ＯＦ  ＡＴ  ＬＥＡＳＴ  ＴＷＯ  ＭＥＡＳＵＲＩＮＧ  ＣＯＭＰＵＴＥＲＳ  ＣＯＯＰＥＲＡＴＩＮＧ  ＯＶＥＲ  Ａ  ＴＥＬＥＣＯＭＭＵＮＩＣＡＴＩＯＮ  ＮＥＴＷＯＲＫ  ＳＵＣＨ  ＡＳ  ＩＮＴＥＲＮＥＴ，ＩＮＴＲＡＮＥＴ  ＯＲ  ＳＩＭＩＬＡＲ」および「ＭＥＴＨＯＤ  ＦＯＲ  ＴＨＥ  ＴＲＡＮＳＭＩＳＳＩＯＮ  ＯＦ  ＭＥＡＳＵＲＥＤ  ＤＡＴＡ  ＦＲＯＭ  Ａ  ＭＥＡＳＵＲＩＮＧ  ＣＯＭＰＵＴＥＲ  ＴＯ  Ａ  ＣＯＮＴＲＯＬ  ＣＯＭＰＵＴＥＲ  ＩＮ  Ａ  ＭＥＡＳＵＲＩＮＧ  ＳＹＳＴＥＭ」による方法を含む。
【００３０】
状況データを出力するための本発明のさらなる利点、特徴、可能な用途は、図面に示す例示的な諸実施形態に関連して、以下の説明から明らかになろう。
【００３１】
以下では、本発明について、図面に示す例示的な諸実施形態を参照して、より詳細に説明する。用語、および最後に示した参照番号のリストで用いる関連する参照番号は、説明、特許請求の範囲、要約書、および図面で使用される。
【発明を実施するための最良の形態】
【００３２】
図１に、中継線２６を介して相互接続された複数の交換装置１２から２４を含む、通信ネットワーク１０を概略的に示す。交換装置１２は、第１の測定コンピュータ２８に割り当てられ、交換装置１６は、第２の測定コンピュータ３０に割り当てられ、交換装置１８は、第３の測定コンピュータ３２に割り当てられる。単一方向の伝送特性を測定するための測定プログラムが、それぞれの測定コンピュータ２８、３０、３２にインストールされる。
【００３３】
それぞれの測定コンピュータ２８、３０、３２は、ＧＰＳアンテナ（全地球測位システム）に接続され、ＧＰＳアンテナを介して受信されるデータを処理するために、ＧＰＳマップ（図示せず）が設けられる。ＧＰＳアンテナおよびＧＰＳマップは、複数の衛星３４ａと対話するＧＰＳユニット３４を共に形成する。
【００３４】
第１測定コンピュータ２８、交換装置１２、交換装置１４、交換装置１６および第２測定コンピュータ３０間の接続は、破線で示される第１の測定パス３６を形成する。第２測定コンピュータ３０、交換装置１６、交換装置１８、および第３測定コンピュータ３２間の接続は、やはり破線で示される第２の測定パス３８を形成する。
【００３５】
交換装置２４は、制御コンピュータ４０に割り当てられる。制御コンピュータ４０は、データベース４２と対話し、このデータベースは、表示画面を含む出力コンピュータ４４の形態の出力装置に接続される。
【００３６】
通信ネットワーク１０は、たとえばインターネットまたはイントラネットである。
測定システムの目標は、たとえば測定パス３６を介した第１測定コンピュータ２８から第２測定コンピュータ３０へのパケット遅延を判断することである。したがって、この測定接続は、単一方向の測定接続であり、この場合、第１測定コンピュータ２８から第２測定コンピュータ３０に、別個の測定パケットが送信される。
【００３７】
測定パス３６では、調整可能な時間分布を用いて（たとえば一定または指数分布など）第１測定コンピュータ２８から第２測定コンピュータ３０に測定パケットが送信される。このプロセスでは、測定パケットは、ユーザ・データグラム・プロトコル（ＵＤＰ：Ｕｓｅｒ  Ｄａｔａｇｒａｍ  Ｐｒｏｔｏｃｏｌ）を使用して送られる。これは、ＩＰに基づく、コネクションレス型のインターネット・トランスポート・プロトコルである。測定パケットは、特に挙げれば、タイムスタンプおよびシーケンス番号を含む。
【００３８】
単一方向の遅延を十分正確に測定できるようにするために、たとえばＧＰＳユニット３４によって、タイムスタンプが生成される。これによって、タイムスタンプを、±１／２μｓの誤差で生成することができる。ここでは、測定パケットの最初のビットが送信される（できる限り）直前に、第１測定装置２８がタイムスタンプを設定する。
【００３９】
測定パケットは、測定パス３６を介して、すなわち中継線２６、交換装置１２、交換装置１４および交換装置１６を介して第２測定コンピュータ３０に送信される。第２測定コンピュータ３０で、測定パケットの最終ビットが受信されるときに、第２タイムスタンプが記録される。第２タイムスタンプは、第２測定装置３０によって、またＧＰＳユニット３４によっても生成される。
【００４０】
次いで、コンピュータ関連のタイム・スライスを考慮して、パケット遅延が、タイムスタンプから計算され、測定結果として、この値が制御コンピュータ４０に送信され、データベース４２内に格納される。結果は、出力コンピュータ４４を介して、連続的にオンラインで表示される。測定パス３６を介して送信される測定パケットを使用して、ＩＰ遅延変動およびパケット・ロスなどを判断することもできる。したがって、このデータは、データベース４２内に格納される。
【００４１】
これらの値に基づいて、測定パス３６の品質、すわなち第１測定コンピュータ２８と第２測定コンピュータ３０の間の接続を判断し監視することができる。同じ方法を、送信パス３８、またここでは図示されていない別の測定パスで使用することもできる。このようにして、大量のデータが生成され、データベース４２内に格納される。
【００４２】
上述の測定結果−状態データは、制御コンピュータ４０によって、測定コンピュータ２８、３０および３２から取り出され、データベース４２内に格納され、見ることができるように使用可能にされる。
【００４３】
出力コンピュータ４４は、オンラインおよびオフライン操作のために、グラフィカル設定インターフェース、およびグラフィカル・ユーザ・インターフェースを含み、こうしたインターフェースを使用して、データベース４２内に格納された状況データを視覚化する。
グラフィカル・ユーザ・インターフェースは、具体的には、状況データの出力および処理のために使用される。
【００４４】
図２に、出力コンピュータ４４を介してデータベース４２に格納された状況データを表示するための、グラフィカル・ユーザ・インターフェース４６を示す。
【００４５】
その第１表示レベルでは、グラフィカル・ユーザ・インターフェース４６は、図２に示す状況マトリックス４８を含む。状況マトリックス４８の下の追加の表示レベルには、第１に、詳細な状況表示、および第２に、システム・メッセージ表示が配置される。
【００４６】
状況データは、所定の条件に従って一定の状況範囲に割り当てられる。割り当てられたこれらの各状況範囲は個々に、色でマークされて示され、それによって、状況データが割り当てられた状況範囲、ならびに満たされる品質要件を簡単に識別することができる。
【００４７】
たとえば、図１に示す測定システムの構成要素、および測定接続の状況は、ユーザのため、灰色、緑色、黄色および赤色によって視覚化される。使用される色は、表１に示す意味を有する。
【表１】
2005520451.tif 000002
【００４８】
色は、所望であれば、可聴出力に関連付けることもできる。
グラフィカル・ユーザ・インターフェース４６の最上位のレベルは、図２に示す状況マトリックス４８で構成される。ここでは、図１に示す測定システム、ならびに測定パス３６および３８上を介した測定接続の状況が示されている。表示は、約１分の間隔で更新される。状況マトリックス４８は、複数の小領域に分割される。第１列５０では、下方に互いに並べられた欄に、上から下に連続して番号が付けられ、測定コンピュータ２８、３０、３２がリストされている。以下では、９つの測定コンピュータがあると想定されている。測定コンピュータのＩＰアドレスまたは名前が、連続番号の横に表示され、それによって、ユーザは、列５０の欄を、対応する測定コンピュータ２８、３０、３２に容易に関連付けることができる。測定コンピュータ２８、３０、３２の現在状況は、第１列５０の欄内の色によって視覚化される。これに関して、測定コンピュータ２８、３０、３２の状況は、３つのことに影響される。
ａ）測定コンピュータ２８、３０、３２の時間同期の状況表示
ｂ）制御コンピュータ４０による測定コンピュータ２８、３０、３２への到達可能性の表示
ｃ）測定コンピュータ２８、３０、３２によって生成される状況「エラー」または「警告」のシステム・メッセージが存在するかどうかの表示
【００４９】
第１列５０に、それぞれの場合で、最悪の状況を表す色が表示される。
これに関して、以下のケースが区別される。
【表２】
2005520451.tif 000003
【００５０】
表２の列２に示す表示テキストは、状況マトリックス４８の第１列５０の各欄内のツール説明として格納され、したがって、状況マトリックス４８の列５０の欄上に、ポインティング要素が置かれてそのままにされるときに、表示される。
したがって、色の選択は、測定コンピュータ２８、３０、３２の時間同期に関する状況範囲に対応する。
【００５１】
上述のように、時間同期は、ＧＰＳユニット３４を使用して行われ得る。あるいは、ＮＴＰ（ネットワーク・タイム・プロトコル：Ｎｅｔｗｏｒｋ  Ｔｉｍｅ  Ｐｒｏｔｏｃｏｌ）によって時間同期を実施することも可能である。このプロセスでは、ローカル・クロック３４ｂが、同期される。
【００５２】
ＧＰＳユニット３４による時間同期は、ＮＴＰによるものより正確である、したがって、時間同期のタイプが、測定コンピュータの状況範囲への割当ての状況データとして含まれる。
測定コンピュータ４０による測定コンピュータ２８、３０、３２の到達可能範囲は、測定コンピュータの状況範囲への割当ての別の状況データとして、評価の一部になる。
【表３】
2005520451.tif 000004
【００５３】
表３の列２のテキストもまた、ツール説明として格納され、状況マトリックス４８の列５０内に、ポインティング要素が置かれてそのままにされたときに、表示される。
さらに、測定コンピュータ２８、３０、３２の状況を、それに対応するように色でマークされた所定の状況範囲に割当てするために含まれる状況データは、測定コンピュータ２８、３０、３２のシステム・メッセージをも含む。
【表４】
2005520451.tif 000005
【００５４】
測定コンピュータ２８、３０、３２に関して、状況マトリックス４８の第１行５２の欄が、第１列５０の上から下の順序に対応する左から右の順序で、測定コンピュータ２８、３０、３２に割り当てられる。第１行５２の欄は、各測定コンピュータ２８、３０、３２の制御コンピュータ４０への割当てを表示し、また複数の制御コンピュータ４０が、通信ネットワーク１０内に存在し得る。
【００５５】
この割当はまた、色でマークされた状況範囲に割り当てられる。この状況範囲は、以下の状況データの影響を受ける。
ａ）それぞれの測定コンピュータ２８、３０、３２の操作制御コンピュータ４０への割当て
ｂ）制御コンピュータ４０による測定コンピュータ２８、３０、３２への到達可能性の表示
ｃ）制御コンピュータ４０によって生成された「エラー」または「警告」状態のシステム・メッセージが存在するかどうかの表示
【００５６】
第１行５２で、それぞれの場合で、最悪の状況を示す色が表示される。
測定コンピュータ２８、３０、３２の制御コンピュータ４０への割当ての文脈では、以下の状況データが、色でマークされる各状況範囲のベースと見なされる。
【表５】
2005520451.tif 000006
【００５７】
表５の列２のテキストは、ツール説明として格納され、状況マトリックス４８の第１行５２の欄内に、ポインティング要素が置かれてそのままにされたときに、対応する表示テキストが表示される。
制御コンピュータ４０による測定コンピュータ２８、３０、３２への到達可能性の文脈では、以下の状況データが、色でマークされる各状況範囲のベースと見なされる。
【表６】
2005520451.tif 000007
【００５８】
表６の第２列のテキストが、ツール説明として格納され、状況マトリックス４８の第１行５２の欄内に、ポインティング要素が置かれてそのままにされたときに、対応する表示テキストが表示される。
測定コンピュータ２８、３０、３２および制御コンピュータ４０のシステム・メッセージの文脈では、以下の状況データが、色でマークされる各状況範囲のベースと見なされる。
【表７】
2005520451.tif 000008
【００５９】
状況マトリックス４８の残りの領域、すなわち行２から１０および列２から１０は、状況マトリックス４８の第３の領域５４を形成する。この領域５４では、測定コンピュータ２８、３０、３２間の測定接続の状況が表示される。測定接続の状況は、以下の状況データによって影響される。
ａ）いわゆる「閾値」が定義されているかどうか
ｂ）こうした閾値が現在満たされているかどうか
ｃ）測定パケットが、閾値監視のためのベースと見なされる、最終の時間間隔内で受信されたかどうか
ｄ）互いに通信する２つの測定コンピュータ２８、３０、３２が、十分に時間同期されているかどうか
ｅ）互いに通信する２つの測定コンピュータ２８、３０、３２が、制御コンピュータ４０によって到達可能であるかどうか
【００６０】
この第３領域の各欄は、ある測定コンピュータ２８、３０、３２から他の測定コンピュータ２８、３０、３２への各測定接続を、ある方向に、すなわち単一方向に識別する。その反対方向が、（黒色で示す）対角線に対して対称の第３領域５４の各欄に示される。
【００６１】
第３領域５４では、それぞれの場合で、最悪の状況を表す色が表示される。閾値の定義の文脈では、以下の状況データが、色でマークされた各状況範囲のベースと見なされる。これに関して、基本的には、閾値について、様々なレベルが考えられ得る。以下では、２つのレベルだけ、すなわち警告前の値−レベル１、および警告の値−レベル２が記載されている。閾値は、各トラフィック・クラス、ならびに伝搬遅延、ＩＰ遅延変動およびパケット・ロスなど各測定パラメータについて、互いに独立に定義することができる。
【表８】
2005520451.tif 000009
閾値監視の文脈では、以下の状況データが、色でマークされた各状況範囲のベースと見なされる。
【表９】
2005520451.tif 000010
時間間隔内の測定パケット受信の文脈では、以下の状況データが、色でマークされた各状況範囲のベースと見なされる。
【表１０】
2005520451.tif 000011
測定コンピュータの時間同期の文脈では、以下の状況データが、色でマークされた各状況範囲のベースと見なされる。
【表１１】
2005520451.tif 000012
【００６２】
第３領域５４の各欄は、詳細な状況表示を提供する、隠れた追加の表示レベルをもつ。この状況表示は、２つの測定コンピュータ２８、３０間の個々の測定接続の状況を示し、伝送方向による区別が行われる。詳細な状況の表示は、
１．マトリックス４８の第３領域５４内の欄上に、ポインティング要素を置いてそのままにし、したがって、ツール説明技術を用いて、詳細な状況マトリックスが格納される。または
２．マトリックス４８の第３領域５４内の欄上に、ポインティング要素を置き、マウスの左キーで欄をクリックする。
ことによってアクティブ化される。
【００６３】
第１のケースでは、表示は、数秒間、見ることができる状態にあり、第２のケースでは、「Ｘ」を含む右上ボックスをクリックして、表示が能動的に閉じられるまで、永久的に見ることができる状態にある。
【００６４】
図３に、詳細な状況表示５６が示されており、それが４つの列を含んでいる。詳細状況表示５６の第１列５８では、測定接続のタイプが視覚化される。
「標準接続」：濃い灰色
「エキスパート接続」：薄い灰色
【００６５】
エキスパート接続は、特別な接続であり、たとえばネットワーク内のエラーを見つけるなど限られた範囲だけで使用される。それは、測定システムのコンフィギュレーション中の特別な入力モードで設定することができ、たとえばパケット間隔の短縮など、一部の設定パラメータの値の範囲を拡大できるようにする。
【００６６】
詳細状況表示５６の第２、３および４列６０、６２および６４は、２つの測定コンピュータ間の各測定接続の個々の測定パラメータについて、状況を示す。それぞれの測定接続について、３つの項目がある。
ａ）片方向遅延（ｍｓ）：ＯＷＤ−第２列６０
ｂ）ＩＰ遅延変動の絶対値（ｍｓ）：ＩＰＤＶ−第３列６２
ｃ）パケット・ロス（％）：ＰＬ−第４列６４
個々の測定パラメータの状況は、３つのことによって影響を受ける。
ａ）閾値の定義および閾値の監視
ｂ）所定の時間間隔での測定パケットの受信
ｃ）２つの測定コンピュータ２９、３０、３２の時間同期
それぞれのケースで、最悪の状況を表す色が表示される。
閾値の定義および閾値の監視の文脈では、以下の状況データが、色でマークされた各状況範囲のベースと見なされる。
【表１２】
2005520451.tif 000013
所定時間間隔での測定パケットの受信の文脈では、以下の状況データが、色でマークされた各状況範囲のベースと見なされる。
【表１３】
2005520451.tif 000014
２つの測定コンピュータ２８、３０、３２の間の時間同期の文脈では、以下の状況データが、色でマークされた各状況範囲のベースと見なされる。
【表１４】
2005520451.tif 000015
【００６７】
詳細状況表示５６の第２、３および４列６０、６２および６４は、隠れた追加の表示レベルをもつ。詳細状況表示５６の第２、３および４列６０、６２および６４の欄のうちの１つに、ポインティング要素が置かれ、この欄内のマウスの左キーによって、この欄内で、測定値がクリックされると、選択された測定接続の新しいウィンドウ内で、測定結果がグラフィカルに表示される。この測定接続について、データベース内に、新しい測定結果が格納されるとすぐに、このグラフィック６６が更新される。図４に、こうしたグラフィック６６の一例を示す。
【００６８】
状況マトリックス４８の第１列の欄５０、および第１行５２の欄もまた、隠れた追加の表示レベルをもつ。この追加の表示レベルは、システム・メッセージを表示する。状況マトリックス４８の第１列５０内の測定コンピュータの欄に、または状況マトリックス４８の第１行５２内の欄にポインティング要素が置かれ、それぞれの欄が左マウス・ボタンでクリックされたときに、システム・メッセージ表示がアクティブ化される。システム・メッセージが、リスト内に表示される。エラーは、赤で表示され、警告は、黄で表示される。エラー・メッセージまたは警告が生じるとすぐに、それに応じて、状況マトリックス内の欄も同様に、色付けされる。システム・メッセージ表示内のメッセージをクリックすることによって、ユーザは、メッセージの認知について応答し、その結果、メッセージが灰色になる。もちろん、表示内のすべてのメッセージに対して応答された後にだけ、また測定コンピュータの状況が許す場合に限り（表２参照）、状況マトリックス４８が再び緑色になる。
【００６９】
参照番号のリスト
１０  通信ネットワーク
１２  交換装置
１４  交換装置
１６  交換装置
１８  交換装置
２０  交換装置
２２  交換装置
２４  交換装置
２６  中継線
２８  第１測定コンピュータ
３０  第２測定コンピュータ
３２  第３測定コンピュータ
３４  ＧＰＳユニット
３４ａ  衛星
３４ｂ  ローカル・クロック（たとえば、ＮＴＰによって同期される）
３６  第１測定パス
３８  第２測定パス
４０  制御コンピュータ
４２  データベース
４４  出力装置／出力コンピュータ
４６  グラフィカル・ユーザ・インターフェース
４８  状況マトリックス
５０  第１列
５２  第１行
５４  第３領域
５６  第３領域の詳細な状況表示
５８  第１列
６０  第２列
６２  第３列
６４  第４列
６６  測定値のグラフィック
【図面の簡単な説明】
【００７０】
【図１】本発明による方法を実施するための３つの測定コンピュータを含む、通信ネットワークの概略図である。
【図２】状況マトリックスの形の第１表示レベルのグラフィカル・ユーザ・インターフェースを概略的に示す図である。
【図３】図２の状況マトリックスの追加の表示レベルを示す図である。
【図４】測定接続による測定結果のグラフィックを概略的に示す図である。
【図１】
2005520451.tif 000016
【図２】
2005520451.tif 000017
【図３】
2005520451.tif 000018
【図４】
2005520451.tif 000019